【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
通信装置であって、
他の通信装置が送信した報知信号を受信する受信手段と、
通信パラメータの提供装置の識別情報を含む通信パラメータ提供サービスに関する特定の付加情報が前記受信した報知信号に付加されたか、前記特定の付加情報が削除されたか、前記特定の付加情報が変更されたかの何れかの変化を判断する変化判断手段と、
前記変化判断手段による判断に基づいて、前記通信装置が送信する報知信号に前記通信装置が受信した報知信号に含まれていた特定の付加情報を付加、または、前記通信装置が送信する報知信号から前記特定の付加情報を削除して送信する送信手段と、
を有することを特徴とする通信装置。
【請求項２】
前記送信手段は、前記他の通信装置と所定のアルゴリズムに従い、前記報知信号を送信することを特徴とする請求項１に記載の通信装置。
【請求項３】
前記付加情報は、通信パラメータの提供サービスを実行中であることを示す情報、または、前記通信パラメータの提供サービスを実行する機器の識別情報、または、認証に関する情報を含むことを特徴とする請求項１に記載の通信装置。
【請求項４】
他の通信装置からの探索信号を受信した場合に、前記探索信号に応答するか否かを判断する応答判断手段と、
他の通信装置が通信パラメータの提供サービスを実行中か否かを判断するサービス判断手段と、
前記応答判断手段による判断と、サービス判断手段による判断に応じて、前記探索信号に対する応答信号に、受信した報知信号に含まれていた特定の付加情報を付加、または、付加せずに送信する応答手段と、
を有することを特徴とする請求項１に記載の通信装置。
【請求項５】
ユーザ操作に基づいて、報知信号に通信パラメータ提供サービスに関する特定の付加情報を付加して送信する送信手段と、
他の通信装置が送信した報知信号に、前記送信手段により送信した報知信号に付加した付加情報が付加されているか否かを判断する判断手段と、
前記判断手段による判断に応じて、警告通知を行う警告手段と、
を有することを特徴とする通信装置。
【請求項６】
前記警告手段は、通信パラメータ提供サービスの処理中断を通知することを特徴とする請求項５に記載の通信装置。
【請求項７】
前記警告手段は、他の通信装置又はユーザに警告通知を行うことを特徴とする請求項５に記載の通信装置。
【請求項８】
前記判断手段は、他の通信装置が送信した報知信号から、前記送信手段が送信した報知信号に付加した付加情報が削除されたか、または、他の通信装置が送信した報知信号には、前記送信手段が送信した報知信号に付加した付加情報と異なる付加情報が付加されているかを判断することを特徴とする請求項５に記載の通信装置。
【請求項９】
受信信号に、通信パラメータ提供サービスを実行している機器の識別情報が含まれているかを確認する確認手段と、
前記受信信号に含まれていた識別情報に基づいて、通信パラメータ提供サービスを実行している機器から通信パラメータを取得する取得手段と、
前記通信パラメータ提供サービスを実行している機器から送信された警告メッセージに基づいて、前記取得手段により取得した通信パラメータを破棄する破棄手段を有することを特徴とする通信装置。
【請求項１０】
通信装置の通信方法であって、
他の通信装置が送信した報知信号に、通信パラメータの提供装置の識別情報を含む通信パラメータ提供サービスに関する特定の付加情報が付加されたか、前記特定の付加情報が削除されたか、前記特定の付加情報が変更されたかの何れかの内容の変化を判断する変化判断工程と、
前記変化判断工程における判断に基づいて、前記通信装置が送信する報知信号に前記通信装置が受信した報知信号に含まれていた特定の付加情報を付加、または、前記通信装置が送信する報知信号から前記特定の付加情報を削除して送信する送信工程と、
を有することを特徴とする通信方法。
【請求項１１】
ユーザ操作に基づいて、報知信号に通信パラメータ提供サービスに関する特定の付加情報を付加して送信する送信工程と、
他の通信装置が送信した報知信号に、前記送信工程おいて送信した報知信号に付加した付加情報が付加されているか否かを判断する判断工程と、
前記判断工程における判断に応じて、警告通知を行う警告工程と、
を有することを特徴とする通信方法。
【請求項１２】
受信信号に、通信パラメータ提供サービスを実行している機器の識別情報が含まれているかを確認する確認工程と、
前記受信信号に含まれていた識別情報に基づいて、通信パラメータ提供サービスを実行している機器から通信パラメータを取得する取得工程と、
前記通信パラメータ提供サービスを実行している機器から送信された警告メッセージに基づいて、前記取得工程において取得した通信パラメータを破棄する破棄工程を有することを特徴とする通信方法。
【請求項１３】
通信装置において実行されるプログラムであって、
他の通信装置が送信した報知信号に、通信パラメータの提供装置の識別情報を含む通信パラメータ提供サービスに関する特定の付加情報が付加されたか、前記特定の付加情報が削除されたか、前記特定の付加情報が変更されたかの何れかの変化を判断する変化判断工程と、
前記変化判断工程における判断に基づいて、前記通信装置が送信する報知信号に前記通信装置が受信した報知信号に含まれていた特定の付加情報を付加、または、前記通信装置が送信する報知信号から前記特定の付加情報を削除して送信する送信工程と、
を有することを特徴とするプログラム。
【請求項１４】
通信装置において実行されるプログラムであって、
ユーザ操作に基づいて、報知信号に通信パラメータ提供サービスに関する特定の付加情報を付加して送信する送信工程と、
他の通信装置が送信した報知信号に、前記送信工程おいて送信した報知信号に付加した付加情報が付加されているか否かを判断する判断工程と、
前記判断工程における判断に応じて、警告通知を行う警告工程と、
を有することを特徴とするプログラム。
【請求項１５】
通信装置において実行されるプログラムであって、
受信信号に、通信パラメータ提供サービスを実行している機器の識別情報が含まれているかを確認する確認工程と、
前記受信信号に含まれていた識別情報に基づいて、通信パラメータ提供サービスを実行している機器から通信パラメータを取得する取得工程と、
前記通信パラメータ提供サービスを実行している機器から送信された警告メッセージに基づいて、前記取得工程において取得した通信パラメータを破棄する破棄工程を有することを特徴とするプログラム。
【手続補正２】
【補正対象書類名】明細書
【補正対象項目名】００１２
【補正方法】変更
【補正の内容】
【００１２】
本発明は、他の通信装置が送信した報知信号に通信パラメータの提供装置の識別情報を含む通信パラメータ提供サービスに関する特定の付加情報が前記受信した報知信号に付加されたか、前記特定の付加情報が削除されたか、前記特定の付加情報が変更されたかの何れかの変化の判断に基づいて、通信装置が送信する報知信号に、受信した報知信号に含まれていた特定の付加情報を付加、または、通信装置が送信する報知信号から特定の付加情報を削除して送信するようにする。
【手続補正３】
【補正対象書類名】明細書
【補正対象項目名】００１３
【補正方法】変更
【補正の内容】
【００１３】
また、ユーザ操作に基づいて、報知信号に通信パラメータ提供サービスに関する特定の付加情報を付加して送信し、他の通信装置が送信した報知信号に、送信した報知信号に付加した付加情報が付加されているか否かを判断し、該判断に応じて、警告通知を行う。